(57)【要約】【課題】生産性を向上させることができる空気調和機の室内機を提供する。【解決手段】空気調和機の室内機は、室内熱交換器と、クロスフローファンと、付加機能ユニット（２５）と、シールド部材（２４）とを備える。室内熱交換器は、屈曲した形状を有する。クロスフローファンは、室内熱交換器を通り室内へと吹き出される空気の流れを生成する。付加機能ユニット（２５）は、室内熱交換器の上流側に配置され、室内熱交換器または室内熱交換器と一体になる部材に固定される。シールド部材（２４）は、付加機能ユニット（２５）と一体化され、室内熱交換器の屈曲部を上流側から覆う。【選択図】図５
2007120928.tif 000002
【特許請求の範囲】
【請求項１】
屈曲した形状を有する熱交換器（２０）と、
前記熱交換器（２０）を通り室内へと吹き出される空気の流れを生成する送風部（２１）と、
前記熱交換器（２０）の上流側に配置され、前記熱交換器（２０）または前記熱交換器（２０）と一体になる部材に固定される付加機能ユニット（２５）と、
前記付加機能ユニット（２５）と一体化され、前記熱交換器（２０）の屈曲部（Ｔ）を上流側から覆うシールド部材（２４）と、
を備える空気調和機（１）の室内機（２）。
【請求項２】
前記付加機能ユニット（２５）は、前記熱交換器（２０）を通る空気を清浄化する空気清浄ユニットである、
請求項１に記載の空気調和機（１）の室内機（２）。
【請求項３】
前記シールド部材（２４）は、前記熱交換器（２０）の頂上部に配置され、
前記付加機能ユニット（２５）は、前記熱交換器（２０）の前面または背面に配置される、
請求項１または２のいずれかに記載の空気調和機（１）の室内機（２）。
【請求項４】
前記付加機能ユニット（２５）と前記シールド部材（２４）とは、前記付加機能ユニット（２５）と前記シールド部材（２４）とを連結する連結部材（２９）によって一体化されている、
請求項３に記載の空気調和機（１）の室内機（２）。
【請求項５】
前記連結部材（２９）は、前記熱交換器（２０）の形状に沿って屈曲した形状を有する、
請求項４に記載の空気調和機（１）の室内機（２）。
【発明の詳細な説明】
【技術分野】
【０００１】
本発明は、空気調和機の室内機に関する。
【背景技術】
【０００２】
空気調和機の室内機では、熱交換能力の向上や収納空間の制約等の観点により熱交換器が屈曲した形状とされることが多い。このような熱交換機においては、屈曲部の厚さが他の部分よりも小さい場合や屈曲部に隙間がある場合があり、空気が十分に熱交換されないまま屈曲部を通過してしまう恐れがある。このため、屈曲した形状を有する熱交換器を備える空気調和機では、屈曲部での空気の通過を防止するためのシールド部材が設けられる。このシールド部材は、熱交換器を構成する複数のフィンの間に圧入される複数の爪部を有しており、爪部がフィンの間に圧入されて係止することにより、シールド部材が熱交換器に固定される（特許文献１参照）。
【特許文献１】特開２００４―１５６８９１号公報
【発明の開示】
【発明が解決しようとする課題】
【０００３】
しかし、フィンの間は極小さいものであり、また、複数の爪部をフィンの間に圧入しなければいけないため、組立性が低く、空気調和機の室内機の生産性を低下させる一因となっている。
本発明の課題は、生産性を向上させることができる空気調和機の室内機を提供することにある。
【課題を解決するための手段】
【０００４】
第１発明に係る空気調和機の室内機は、熱交換器と、送風部と、付加機能ユニットと、シールド部材とを備える。熱交換器は、屈曲した形状を有する。送風部は、熱交換器を通り室内へと吹き出される空気の流れを生成する。付加機能ユニットは、熱交換器の上流側に配置され、熱交換器または熱交換器と一体になる部材に固定される。シールド部材は、付加機能ユニットと一体化され、熱交換器の屈曲部を上流側から覆う。
【０００５】
この空気調和機の室内機では、付加機能ユニットとシールド部材とが一体化されているため、付加機能ユニットを熱交換器または熱交換器と一体になる部材に固定することによって、シールド部材を熱交換器の屈曲部に取り付けることができる。このため、シールド部材に設けられる固定用の爪部の数を低減させることができる。或いは、シールド部材に固定用の爪部を設けることなくシールド部材を熱交換器に取り付けることができる。これにより、シールド部材を熱交換器に容易に取り付けることができ、空気調和機の室内機の生産性を向上させることができる。また、部品点数の低減により、組立工数が低減することによっても、空気調和機の室内機の生産性を向上させることができる。
【０００６】
第２発明に係る空気調和機の室内機は、第１発明の空気調和機の室内機であって、付加機能ユニットは、熱交換器を通る空気を清浄化する空気清浄ユニットである。
この空気調和機の室内機では、付加機能ユニットによって熱交換器を通る空気を清浄化して室内に送ることができる。
【０００７】
第３発明に係る空気調和機の室内機は、第１発明または第２発明の空気調和機の室内機であって、シールド部材は、熱交換器の頂上部に配置される。また、付加機能ユニットは、熱交換器の前面または背面に配置される。
この空気調和機の室内機では、付加機能ユニットを熱交換器の前面または背面に配置して熱交換器または熱交換器と一体になる部材に固定することによって、シールド部材が熱交換器の頂上部に配置される。
【０００８】
第４発明に係る空気調和機の室内機は、第３発明の空気調和機の室内機であって、付加機能ユニットとシールド部材とは、付加機能ユニットとシールド部材とを連結する連結部材によって一体化されている。
この空気調和機の室内機では、付加機能ユニットとシールド部材とが連結部材によって一体化されるため、付加機能ユニットとシールド部材とを離して配置することができる。このため、付加機能ユニットとシールド部材との配置の自由度を向上させることができる。
【０００９】
第５発明に係る空気調和機の室内機は、第４発明の空気調和機の室内機であって、連結部材は、熱交換器の形状に沿って屈曲した形状を有する。
この空気調和機の室内機では、連結部材が、熱交換器の形状に沿って屈曲した形状を有することにより、付加機能ユニットとシールド部材とを熱交換器の形状に沿って配置することができる。
【発明の効果】
【００１０】
第１発明に係る空気調和機の室内機では、シールド部材に設けられる固定用の爪部の数を低減させることができる。或いは、シールド部材に固定用の爪部を設けることなくシールド部材を熱交換器に取り付けることができる。これにより、シールド部材を熱交換器に容易に取り付けることができ、空気調和機の室内機の生産性を向上させることができる。また、部品点数の低減により、組立工数が低減することによっても、空気調和機の室内機の生産性を向上させることができる。
【００１１】
第２発明に係る空気調和機の室内機では、付加機能ユニットによって熱交換器を通る空気を清浄化して室内に送ることができる。
第３発明に係る空気調和機の室内機では、付加機能ユニットを熱交換器の前面または背面に配置して熱交換器または熱交換器と一体になる部材に固定することによって、シールド部材が熱交換器の頂上部に配置される。
【００１２】
第４発明に係る空気調和機の室内機では、付加機能ユニットとシールド部材とが連結部材によって一体化されるため、付加機能ユニットとシールド部材とを離して配置することができる。このため、付加機能ユニットとシールド部材との配置の自由度を向上させることができる。
第５発明に係る空気調和機の室内機では、連結部材が、熱交換器の形状に沿って屈曲した形状を有することにより、付加機能ユニットとシールド部材とを熱交換器の形状に沿って配置することができる。
【発明を実施するための最良の形態】
【００１３】
＜構成＞
〔空気調和機の外観〕
本発明の一実施形態が採用された空気調和機１の外観を図１に示す。
この空気調和機１は、室内の壁面などに取り付けられる室内機２と、室外に設置される室外機３とを備えている。
室内機２内には室内熱交換器２０（熱交換器）が収納され、室外機３内には室外熱交換器３０（図２参照）が収納されており、各熱交換器が冷媒配管４により接続されることにより冷媒回路を構成している。
【００１４】
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００１５】
室内機２に設けられている室内熱交換器２０は、接触する空気との間で熱交換を行う。また、室内機２には、室内空気を吸い込んで室内熱交換器２０との間で熱交換を行った後の空気を室内に吹き出すためのクロスフローファン２１（送風部）が設けられている。クロスフローファン２１は、円筒形状に構成され、周面には回転軸方向に羽根が設けられているものであり、回転軸と交わる方向に空気流を生成する。このクロスフローファン２１は、室内機２内に設けられるファンモータ２２によって回転駆動される。室内機の詳細な構成については後に説明する。
【００１６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００１７】
〔室内機の構成〕
（室内機の全体構成）
室内機２は、図１に示すように、正面視に置いて横方向に長い室内機ケーシング２３を備えており、前述した室内熱交換器２０やクロスフローファン２１は、室内機２の室内機ケーシング２３内に収容されている。この室内熱交換器２０は後に説明するように側面視において屈曲した形状を有しており、室内機２は、室内熱交換器２０の屈曲部Ｔを空気や水滴が通過することを防ぐシールド部材２４を備えている（図３から図５参照）。また、室内機２は、空気清浄機能を有する付加機能ユニット２５（図３から図５参照）を備えている。後述するようにシールド部材２４と付加機能ユニット２５とは一体化され、１つの部品として室内熱交換器２０に取り付けられる。
【００１８】
（室内機ケーシング）
図３に室内機２の側面断面図を示す。
室内機ケーシング２３は、前面パネル２３ａと底フレーム２３ｂとにより構成されている。
前面パネル２３ａは、上面２３０、下面２３２、前面２３５及び側面２３６，２３７（図１参照）によって構成されている。上面２３０は、室内熱交換器２０の上方を覆っており、複数のスリット状の開口からなる吸込み口２３１が設けられている。下面２３２は、室内熱交換器２０及びクロスフローファン２１の下方を覆っており、室内機２の長手方向に沿う開口からなる吹出し口２３３が設けられている。また、吹出し口２３３には、室内へと吹出す空気が案内される水平フラップ２３４が設けられている。この水平フラップ２３４は、室内機２の長手方向に平行な軸を中心に回動自在に設けられている。水平フラップ２３４は、フラップモータ（図示せず）によって回動することにより、吹出し口２３３の開閉を行うことができる。前面２３５は、概ね平坦に形成されており、室内熱交換器２０の前方を覆っている。側面２３６、２３７は、図１に示すように、室内熱交換器２０の側方を覆っている。側面２３６，２３７には、左側面２３６と右側面２３７とがあり、左側面２３６は正面視において室内熱交換器２０の左側方、右側面は室内熱交換器２０の右側方に配置されている。
【００１９】
底フレーム２３ｂは、室内機２の背面を構成しており、室内熱交換器２０の後方を覆っている。
また、室内熱交換器２０の下方には、熱交換時に室内熱交換器の表面に発生する水滴を受け取るためのドレンパン２３８が設けられている。このドレンパン２３８には、受け取った水滴を外部に排出するためのドレンホース（図示せず）が取り付けられている。冷房運転時には、室内熱交換器２０は蒸発側熱交換器として作用するため、室内熱交換器２０と接触する空気中に含まれる水分が凝縮して水滴となって滴下する。ドレンパン２３８は、このような水滴を受け取ってドレンホースによって排水するように構成されている。
【００２０】
（室内熱交換器）
室内熱交換器２０は、クロスフローファン２１の前方、上方および後部上方を取り囲むように取り付けられている。室内熱交換器２０は、クロスフローファン２１の駆動により吸込み口２３１から吸い込まれた空気をクロスフローファン２１側に通過させ、伝熱管２０５の内部を通過する冷媒との間で熱交換を行わせる。室内熱交換器２０は、側面視において概ね逆Ｖ字型に屈曲した断面形状を有している。
【００２１】
室内熱交換器２０は、第１室内熱交換器２０ａ、第２室内熱交換器２０ｂ、第３室内熱交換器２０ｃ、第４室内熱交換器２０ｄの４つの部分に分割されている。分割された各室内熱交換器２０ａ，２０ｂ，２０ｃ，２０ｄは、それぞれ水平方向に長い板状の形状を有している。
第１室内熱交換器２０ａは、上端が室内機２の前方へ向けて傾斜して配置されており、クロスフローファン２１の上方から後部上方を覆うように配置されている。第２室内熱交換器２０ｂは、上端が室内機２の後方へ向けて傾斜して第１室内熱交換器２０ａの前方に配置されている。第２室内熱交換器２０ｂの上端は、第１室内熱交換器２０ａの上端に近接している。このように第１室内熱交換器２０ａの上端と第２室内熱交換器２０ｂの上端とが近接して配置されることにより、逆Ｖ字型の屈曲部Ｔが室内熱交換器２０の頂上部に形成されている。第２室内熱交換器２０ｂは、クロスフローファン２１の上方を覆うように配置されている。第３室内熱交換器２０ｃは、第２室内熱交換器２０ｂの下方に配置されており、第３室内熱交換器２０ｃの上端は第２室内熱交換器２０ｂの下端に近接している。第３室内熱交換器２０ｃは、クロスフローファン２１の前方を覆うように配置されている。第４室内熱交換器２０ｄは、下端が室内機２の後方へ傾斜しており、第３室内熱交換器２０ｃの下方に配置されている。第４室内熱交換器２０ｄの上端は、第３室内熱交換器２０ｃの下端に近接している。
【００２２】
第１室内熱交換器２０ａ、第２室内熱交換器２０ｂ、第３室内熱交換器２０ｃ、第４室内熱交換器２０ｄは、それぞれ両側端（正面視における左右方向の端）に設けられた金属製の側板（図示せず）により相互に固定されることにより、一体となって室内熱交換器２０を形成している。
各室内熱交換器２０ａ，２０ｂ，２０ｃ，２０ｄは、両側端で複数回折り返されてなる伝熱管２０５と、伝熱管２０５が挿通される複数のフィン２０６とから構成されている。伝熱管２０５は、各室内熱交換器２０ａ，２０ｂ，２０ｃ，２０ｄの長手方向に平行に配置され、各室内熱交換器２０ａ，２０ｂ，２０ｃ，２０ｄの両側端においてＵ字型伝熱管（図示せず）によって折り返されている。Ｕ字型伝熱管は、各室内熱交換器２０ａ，２０ｂ，２０ｃ，２０ｄの両側面から室内熱交換器２０の長手方向に向けてそれぞれ突出している。
【００２３】
この室内熱交換器２０は、図１および図４に示すように、室内機２内で左側に偏って配置されており、室内熱交換器２０の左側端が室内機ケーシング２３の左側面２３６に近接している。室内熱交換器２０の左側端には、図４に示すように、複数の孔が設けられた樹脂製の固定板２６が取り付けられており、室内熱交換器２０と一体にされている。なお、図４は、室内機２において前面パネル２３ａが取り外された状態を示している。固定板２６の孔には、室内熱交換器２０の左側端から側方に突出するＵ字型伝熱管が通されている。この固定板２６は、底フレーム２３ｂに固定されており、室内熱交換器２０を底フレーム２３ｂに固定している。また、固定板２６は、室内熱交換器２０に取り付けられた状態で、室内熱交換器２０の前面から前方に突出し且つ屈曲部Ｔから上方に突出する形状となっている。この固定板２６の突出部分２６ａには、後述する付加機能ユニット２５を取り付けるための孔が設けられている。また、室内熱交換器２０の右側端と室内機ケーシング２３の右側面２３７との間の空間は、室内機２内で取り回されて室内熱交換器２０に接続される冷媒配管と、電装品を収納する電装品箱１０の収納空間となっている。
【００２４】
上記のように室内熱交換器２０は、各室内熱交換器２０ａ，２０ｂ，２０ｃ，２０ｄが固定板２６によって両側端で固定されて一体にされたものであるため、各室内熱交換器２０ａ，２０ｂ，２０ｃ，２０ｄの分割面の間には、長手方向に沿って隙間が存在する。特に、第１室内熱交換器２０ａと第２室内熱交換器２０ｂとによって形成される屈曲部Ｔの隙間は、吸込み口２３１のすぐ内側であって、吸込み口２３１とクロスフローファン２１との間に位置しているため、空気が通り易くなっている。そして、この隙間を通る空気は、熱交換率の低下の原因となる。このため、室内熱交換器２０には、この隙間を塞ぐシールド部材２４が取り付けられる。
【００２５】
なお、上記における「左右」は、室内機２の正面視における左右を意味しており、特に室内熱交換器２０に関する「左右」は、室内熱交換器２０が室内機２に備えられた状態での正面視における左右を意味している。また、以下に説明するシールド部材２４に関する「左右」もシールド部材２４が取り付けられた室内熱交換器２０が室内機２に備えられた状態での正面視における左右を意味している。
【００２６】
（シールド部材）
シールド部材２４は、分割されている室内熱交換器２０の間を空気や水滴が通過することを防ぐ樹脂製の部材である。シールド部材２４は、図３に示すように、第１室内熱交換器２０ａと第２室内熱交換器２０ｂとによって形成される屈曲部Ｔの隙間に上流側から被せられるように取り付けられ、隙間を覆って塞ぐ。
【００２７】
シールド部材２４は、屈曲部Ｔに沿って上方から被せられるため、第１室内熱交換器２０ａと第２室内熱交換器２０ｂとによって形成される屈曲部Ｔの形状に合うように略Ｖ字型の断面形状となっている。この屈曲部Ｔの隙間は室内熱交換器２０の長手方向に沿って存在するため、シールド部材２４も、図４および図５に示すように、室内熱交換器２０の長手方向の長さと略同じ長さの細長い形状となっている。なお、シールド部材２４の左側端部には、左側方に突出する係止突起２４ａが設けられている。この係止突起２４ａは、室内熱交換器２０を固定するための固定板２６の上端近傍に設けられた孔に挿入され固定板２６に係止する。
【００２８】
（付加機能ユニット）
付加機能ユニット２５は、空気清浄機能を有する空気清浄ユニットであり、室内熱交換器２０の上流側に配置される。付加機能ユニット２５は、ストリーマ放電を生じさせることによって室内熱交換器２０を通る空気を清浄化することができる。付加機能ユニット２５は、図５に示すように、取付部材２７とカバー部材２８とを有する。
【００２９】
取付部材２７は、室内熱交換器２０の長手方向の長さと概ね同じ長さを有する樹脂製の部材であり、第２室内熱交換器２０ｂの上流側に第２室内熱交換器２０ｂに近接して配置される。取付部材２７のうち電装品箱１０に近い側（正面視における右側）には、カバー部材２８が取り付けられ、その内部には、ストリーマ放電を生じさせるための放電電極および対向電極やフィルターなど（図示せず）が収納される。取付部材２７のうちカバー部材２８が設けられない部分（正面視における左側の部分）は格子状に形成されており、空気を十分に透過する形状となっている。また、取付部材２７の両側端には、それぞれ第１固定部２７ａと第２固定部２７ｂとが設けられている。
【００３０】
第１固定部２７ａは、取付部材２７の左側端から突出する複数の突起であり、固定板２６の孔に挿入され固定板２６に係止する。なお、固定板２６の孔は、第１固定部２７ａの形状および配置に合致するように設けられている。
第２固定部２７ｂは、取付部材２７の右側端近傍に設けられており、前後方向に貫通した螺子穴２７ｃを有する。この取付部材２７の螺子穴２７ｃは、室内熱交換器２０の右側の側板に設けられた螺子穴と一致するように設けられており、これらの螺子穴に螺子が通されることによって、取付部材２７と側板とが固定される。なお、室内熱交換器２０の右側の側板には、例えば、概ね直角に折り返されたフランジ部が設けられ、このフランジ部に取付部材２７の螺子穴２７ｃと合致する螺子穴が設けられる。このように構成することによって、正面方向から螺子を打つことができる。なお、取付部材２７の右側端近傍には、放電電極等と電装品とを接続するハーネスを収納するための収納ポケット４３が設けられている。
【００３１】
また、取付部材２７は、複数の連結部材２９によってシールド部材２４と連結されている。複数の連結部材２９は、室内熱交換器２０の長手方向に沿って並べられており、室内熱交換器２０の形状に沿うように屈曲している。なお、取付部材２７と連結部材２９とシールド部材２４とは樹脂により一体成形されている。
【００３２】
＜特徴＞
（１）
この空気調和機１の室内機２では、以下のようにして、付加機能ユニット２５が取り付けられる。
まず、付加機能ユニット２５を第２室内熱交換器２０ｂの表面に沿うように配置する。付加機能ユニット２５はシールド部材２４と一体化されているため、付加機能ユニット２５を第２室内熱交換器２０ｂの表面に沿うように配置すると同時に、シールド部材２４が屈曲部Ｔを覆うように配置される。次に、付加機能ユニット２５を左方向に移動させ、付加機能ユニット２５の第１固定部２７ａを固定板２６の右側方から固定板２６の孔に挿入する。なお、この動作により、シールド部材２４の係止突起２４ａも固定板２６の孔に挿入される。そして、第２固定部２７ｂの螺子穴２７ｃと、室内熱交換器２０の右側の側板の螺子穴との位置を合わせて螺子止めする。これにより、付加機能ユニット２５とシールド部材２４とが室内熱交換器２０に固定される。
【００３３】
以上のように、この空気調和機１の室内機２では、付加機能ユニット２５を室内熱交換器２０の側板および固定板２６に固定することによって、シールド部材２４が室内熱交換器２０に固定的に取り付けられる。このため、室内熱交換器２０のフィンの間に圧入するための爪部をシールド部材２４に設けることなく、シールド部材２４を室内熱交換器２０に容易に取り付けることができる。また、部品点数が削減されると共に、付加機能ユニット２５とシールド部材２４とを室内熱交換器２０に別々に取り付けるのではなく一度に取り付けることができる。さらに、固定のための螺子止めは１カ所でよい。これにより、この空気調和機１の室内機２では、部品の組立性が向上し、生産性を向上させることができる。
【００３４】
（２）
この空気調和機１の室内機２では、付加機能ユニット２５とシールド部材２４とが連結部材２９によって一体化されており、連結部材２９の屈曲した形状によって、付加機能ユニット２５とシールド部材２４と連結部材２９とが室内熱交換器２０の形状に沿って配置されている。これにより、室内機２をコンパクトに構成することができる。また、付加機能ユニット２５を室内熱交換器２０に近接して配置することができる。
【００３５】
（３）
シールド部材に数多くの爪部が設けられていた従来の空気調和機の室内機では、室内熱交換器のフィンの角を倒して折り曲げ部を形成する際に、シールド部材の爪部が圧入される位置を避けて折り曲げ部を形成する必要があり煩雑であった。
しかし、この空気調和機１の室内機２では、爪部の圧入位置を考慮せずに折り曲げ部を形成することができ、折り曲げ部の形成作業が簡易である。
【００３６】
＜他の実施形態＞
（１）
上記の実施形態では、シールド部材２４に爪部を設ける必要が無いと記載しているが、シールド部材２４の浮きやズレを防止するために、少数の爪部が設けられてもよい。この場合も、爪部の数を比較的少なくすることにより、組立性を向上させることができる。
【００３７】
（２）
上記の実施形態では、付加機能ユニット２５は、室内熱交換器２０を構成する側板と、室内熱交換器２０に一体的に固定される固定板２６とに固定されているが、側板のみに固定されてもよい。または、室内熱交換器２０と一体的に固定される固定板２６が室内熱交換機の両端に設けられ、付加機能ユニット２５が固定板２６のみに固定されてもよい。すなわち、付加機能ユニット２５は、直接的、間接的を問わず、室内熱交換器２０に対して固定的に設けられるものであればよい。
【００３８】
（３）
上記の実施形態では、付加機能ユニット２５の室内熱交換器２０を構成する側板への固定は螺子による固定であり、固定板２６への固定は嵌め込みによる固定であるが、固定手段はこれらのものに限られず、他の固定手段が用いられてもよい。
（４）
上記の実施形態では、付加機能ユニット２５は、室内熱交換器２０の前面に配置されているが、室内熱交換器２０の背面に配置されてもよい。
【００３９】
（５）
上記の実施形態は、付加機能ユニット２５は、ストリーマ放電による空気清浄機能を有する空気清浄ユニットであるが、他の原理による空気清浄機能を有するものであってもよい。他の原理による空気清浄機能とは、例えば、通過する塵埃を帯電させることによって集塵する集塵機能などがある。また、空気清浄機能ではなく他の機能を付加するための付加機能ユニットが利用されてもよい。
【００４０】
（６）
上記の実施形態では、室内熱交換器２０は分割された複数の室内熱交換器２０ａ−２０ｄが組み合わされることによって、全体として屈曲した形状に形成されているが、一体に形成された熱交換器が曲げ加工等を受けることによって屈曲した形状に形成されてもよい。
【産業上の利用可能性】
【００４１】
本発明は、生産性を向上させることができる効果を有し、空気調和機の室内機として有用である。
【図面の簡単な説明】
【００４２】
【図１】空気調和機の外観図。
【図２】冷媒回路の構成図。
【図３】室内機の側面断面図。
【図４】シールド部材及び付加機能ユニットが一体化された部品が室内熱交換器に取り付けられた状態を示す図。
【図５】シールド部材及び付加機能ユニットが一体化された部品を示す図。
【符号の説明】
【００４３】
１        空気調和機
２        室内機
２０      室内熱交換器（熱交換器）
２１      クロスフローファン（送風部）
２４      シールド部材
２５      付加機能ユニット
２９      連結部材
Ｔ        屈曲部
【図１】
2007120928.tif 000003
【図２】
2007120928.tif 000004
【図３】
2007120928.tif 000005
【図４】
2007120928.tif 000006
【図５】
2007120928.tif 000007